(57)【要約】      （修正有）【課題】モバイルデバイスをユーザの手に保持することを支援すると共にモバイルデバイスがテーブルトップデバイスとして使用されることを可能にする。【解決手段】モバイルデバイス用のアクセサリは、カバーを備える。カバーは、モバイルデバイスの後面に結合される本体と、本体の後面に隣接して延びる細長部材７０と、本体の後面から細長部材の周囲に延びる保持バンド８０とを備える。細長部材は、遠位端１５０及び近位端１３０を有し、少なくとも近位端における第１のセグメント９０及び遠位端における第２のセグメント１００を備える。第１のセグメントは、近位端において本体にヒンジ連結で取り付けられる。【選択図】図２
2019146066.tif 000002
【特許請求の範囲】
【請求項１】
モバイルデバイスの後面への取り付けに適しているモバイルデバイス用のサポートであって、
モバイルデバイスの後面に結合されるバックプレートと、
前記バックプレートに隣接して長手方向に延びる細長部材と
を備え、
前記細長部材は、遠位端及び近位端を有し、少なくとも前記近位端における第１のセグメント及び前記第１のセグメントと前記遠位端との間における第２のセグメントを備え、
前記第１のセグメントは前記近位端において前記バックプレートにヒンジ連結で取り付けられる、モバイルデバイス用のサポート。
【請求項２】
前記第２のセグメントは、遠位部及び前記遠位部と前記第１のセグメントとの間の近位部を備える、請求項１に記載のモバイルデバイス用のサポート。
【請求項３】
前記遠位部及び前記近位部はヒンジ連結で取り付けられる、請求項１又は２に記載のモバイルデバイス用のサポート。
【請求項４】
前記近位部及び前記第１のセグメントはヒンジ連結で取り付けられる、請求項１〜３の何れか１項に記載のモバイルデバイス用のサポート。
【請求項５】
前記第２のセグメントの前記遠位端は、前記バックプレートにおける固定位置に保持される、請求項１〜４の何れか１項に記載のモバイルデバイス用のサポート。
【請求項６】
前記第２のセグメントの前記遠位端は、前記固定位置において前記バックプレートにヒンジ連結で取り付けられる、請求項５に記載のモバイルデバイス用のサポート。
【請求項７】
長手保持部を更に備える、請求項１〜６の何れか１項に記載のモバイルデバイス用のサポート。
【請求項８】
前記第２のセグメントの前記遠位端は、前記固定位置において前記長手保持部にヒンジ連結で取り付けられる、請求項７に記載のモバイルデバイス用のサポート。
【請求項９】
前記長手保持部は、保持バンドの長手方向端部において肉厚部として形成される、請求項１〜８の何れか１項に記載のモバイルデバイス用のサポート。
【請求項１０】
前記長手保持部は、前記バックプレートに隣接して前記第２のセグメントを保持するために前記細長部材に向かって延びる突起を備える、請求項１〜９の何れか１項に記載のモバイルデバイス用のサポート。
【請求項１１】
前記細長部材が第１の開放構成にある場合、前記第１及び第２のセグメントは前記バックプレートから間隔を空けて配置される、請求項１〜１０の何れか１項に記載のモバイルデバイス用のサポート。
【請求項１２】
前記細長部材が第２の開放構成にある場合、前記遠位部は前記バックプレートに平行に且つ前記近位部に対して鋭角に保持される、請求項１〜１０の何れか１項に記載モバイルデバイス用のサポート。
【請求項１３】
前記細長部材が第２の開放構成にある場合、長手保持部は、前記遠位部を前記バックプレートに平行に保持する、請求項１２に記載のモバイルデバイス用のサポート。
【請求項１４】
前記細長部材が閉鎖構成にある場合、長手保持部は前記バックプレート及び前記遠位部に平行に前記近位部を保持する、請求項１〜１０の何れか１項に記載モバイルデバイス用のサポート。
【請求項１５】
前記バックプレートは連続した部材である、請求項１〜１４の何れか１項に記載のモバイルデバイス用のサポート。
【請求項１６】
前記バックプレートは、前記細長部材の前記近位端と前記固定位置との間で長手方向に延びる、請求項１〜１５の何れか１項に記載のモバイルデバイス用のサポート。
【請求項１７】
前記バックプレートは、前記細長部材の幅に対して横方向に延びる、請求項１６に記載のモバイルデバイス用のサポート。
【請求項１８】
前記保持バンドは、前記バックプレートの外縁を画定する、請求項９に記載のモバイルデバイス用のサポート。
【請求項１９】
前記バックプレートは、実質的にモバイルデバイスの後面上に延びる、請求項１〜１５の何れか１項に記載モバイルデバイス用のサポート。
【請求項２０】
前記バックプレートはモバイルデバイス用のカバーである、請求項１〜１５の何れか１項に記載のモバイルデバイス用のサポート。
【請求項２１】
前記細長部材の前記近位端と前記細長部材の前記遠位端との間の距離は、前記第１のセグメントと前記第２のセグメントの前記近位部との結合長さに実質的に等しい、請求項１〜２０の何れか１項に記載のモバイルデバイス用のサポート。
【請求項２２】
前記細長部材の前記近位端と前記固定位置との間の距離は、前記遠位部の長さを差し引いた前記第１のセグメントと前記第２のセグメントの前記近位部との結合長さに実質的に等しい、請求項５〜２０の何れか１項に記載のモバイルデバイス用のサポート。
【発明の詳細な説明】
【技術分野】
【０００１】
本発明は、モバイルデバイス用のアクセサリに関し、特に、モバイルデバイス用のサポートに関する。
【背景技術】
【０００２】
携帯電話等のハンドヘルドモバイルデバイス、デジタルオーディオファイルを再生するためのデバイス及びタブレット等は、典型的には、ユーザがデバイスと相互作用するための手段及びディスプレイスクリーンを備える前面を有する。相互作用手段は、ボタン又はホイールの形態で提供されてもよく、又は統合型タッチセンサ式ディスプレイスクリーンとして又はこれらの組合せとして提供されてもよい。これらは、通常、利便性のためデバイスの前面又は端部に位置している。
【０００３】
多くのハンドヘルドモバイルデバイスのユーザは、損耗及び／又はモバイルデバイスの落下によって生ずる損傷からデバイスを保護するために、部分的に又は完全にモバイルデバイスを覆うためのケース又はカバーを利用している。コンポーネントが砕ける又は壊れる可能性が高く、全体としてモバイルデバイスの高額な修理又は交換の必要を生ずることになるモバイルデバイスにとって、カバーは特に望ましい。
【０００４】
モバイルデバイスの使用の範囲は、モバイルデバイスで使用可能なアプリケーションの範囲と共に広がっている。単一のモバイルデバイスが、典型的には、ミュージックプレーヤ、電話、メッセージングセンター、衛星ナビゲーション支援、写真又はビデオディスプレイデバイス、及びＥリーダとして使用されることが有る。従って、広範な状況及び環境でユーザがモバイルデバイスを手の中に確実に保持できることがますます重要である。
【０００５】
多くの既知のカバーは、モバイルデバイスの使用中に、特に、ユーザがスポーツ又は他の身体活動に参加している間に、モバイルデバイスをユーザの手に保持することを支援するように意図されたサポートを含んでいる。米国特許第９３００３４６号等に開示されているような一部のカバーは、ハンドヘルドデバイスとして機能している場合にユーザの手に保持するのを支援することに加えて、テーブルトップデバイスとしてモバイルデバイスを機能させる転換構成を備えたサポートを有する。
【発明の概要】
【０００６】
本発明の目的は、モバイルデバイスをユーザの手に保持することを支援すると共にモバイルデバイスがテーブルトップデバイスとして使用されることを可能にするモバイルデバイス用の構成可能サポートを提供することである。
【０００７】
第１の態様では、本発明は、モバイルデバイスのためのサポートを提供し、このサポートはモバイルデバイスの後面への取り付けに適しており、サポートはモバイルデバイスの後面に結合されるバックプレートとバックプレートに隣接して長手方向に延びる細長部材とを備える。細長部材は、遠位端及び近位端を有し、少なくとも近位端における第１のセグメント、及び第１のセグメントと遠位端との間の第２のセグメントを備える。第１のセグメントは、近位端においてバックプレートにヒンジ連結で取り付けられる。
【０００８】
第２のセグメントは、好ましくは、遠位部及び遠位部と第１のセグメントとの間の近位部を備える。遠位部及び近位部は、ヒンジ連結で取り付けられてもよい。近位部及び第１のセグメントは、ヒンジ連結で取り付けられてもよい。
【０００９】
第２のセグメントの遠位端は、好ましくは、バックプレート上の固定位置に保持される。第２のセグメントの遠位端は、固定位置でバックプレートにヒンジ連結で取り付けられてもよい。
【００１０】
サポートは、第２のセグメントの遠位端がヒンジ連結で取り付けられ得る長手保持部を更に備えてもよい。
【００１１】
長手保持部は、好ましくは、保持バンドの長手端における肉厚部として形成される。長手保持部は、第２のセグメントをバックプレートに隣接して保持するための細長部材の方に延びる突起を備えてもよい。
【００１２】
第１及び第２のセグメントは、細長部材が第１の開放構成にある場合、バックプレートから間隔を空けて配置されてもよい。
【００１３】
遠位部は、細長部材が第２の開放構成にある場合、バックプレートに平行に且つ近位部に対して鋭角に保持されてもよい。
【００１４】
好ましくは、長手保持部は、細長部材が第２の開放構成にある場合、遠位部をバックプレートに平行に保持する。
【００１５】
好ましくは、長手保持部は、細長部材が閉鎖構成にある場合、近位部をバックプレート及び遠位部に平行に保持する。
【００１６】
バックプレートは、連続した部材であってもよい。好ましくは、バックプレートは、細長部材の近位端と固定位置との間に長手方向に延びる。バックプレートは、細長部材の幅に対して横方向に延びてもよい。
【００１７】
保持バンドは、バックプレートの外縁を画定してもよい。好ましくは、バックプレートは、実質的にモバイルデバイスの後面上に延びる。バックプレートは、モバイルデバイス用のカバーであってもよい。
【００１８】
好ましくは、細長部材の近位端と細長部材の遠位端との間の距離は、第１のセグメントと第２のセグメントの近位部との結合長さに実質的に等しい。
【００１９】
好ましくは、細長部材の近位端と固定位置との間の距離は、実質的に、遠位部の長さを差し引いた第１のセグメントと第２のセグメントの近位部との結合長さに等しい。
【図面の簡単な説明】
【００２０】
本発明の実施形態は、以下に添付の図面を参照して例示として記載される。
【図１】使用中の例示的なモバイルデバイスの等角図を示す。
【図２】細長部材が第１の開放構成にある本発明の実施形態によるモバイルデバイス用のサポートの等角図を示す。
【図３】図２の構成のモバイルデバイス用のサポートを使用する方法を示す。
【図４】使用中の図２の第１の開放構成にあるモバイルデバイス用のサポートを示す。
【図５】細長部材が閉鎖又は格納構成にある本発明の実施形態によるモバイルデバイス用のサポートを示す。
【図６】本発明の実施形態によるモバイルデバイス用のサポートを格納構成に配置する方法を概略的に表す。
【図７】線ｘ−ｘに沿うサポートの保持バンドの部分断面図を示す。
【図８】格納構成にある本発明の実施形態によるモバイルデバイス用のサポートの背面図を示す。
【図９】細長部材が第２の開放構成にある本発明の実施形態によるモバイルデバイス用のサポートの等角図を示す。
【図１０】図９の構成のモバイルデバイス用のサポートの背面図を示す。
【図１１】本発明の実施形態によるモバイルデバイス用のサポートを第２の開放構成に配置する方法を概略的に表す。
【発明を実施するための形態】
【００２１】
図１及び２は、使用中の例示的なモバイルデバイスを示す。前向きのディスプレイスクリーン２０、この例示では、タッチスクリーンがユーザの相互作用を可能にするためにユーザに面するように、ユーザがモバイルデバイス１０を把持するのが通常である。本実施形態では、サポートは、モバイルデバイス用のカバー３０を形成するためにモバイルデバイスの後面に延びるバックプレート５０を有するように示されている。バックプレート５０は、カバー３０を完成するようにモバイルデバイスの周辺端部に延びる端部４０を有する。
【００２２】
本明細書で言及されるカバーは、モバイルデバイスを覆う及び／又は保護するためのデバイスとして定義される。モバイルデバイスは、電話を含む任意のタブレットデバイスであってもよいが、こうしたものに限定されない。
【００２３】
図２は、バックプレート５０の後面６０に隣接して延びる細長部材７０を備えるバックプレート５０を示す。細長部材７０は、第１のセグメント９０及び第２のセグメント１００から成る。第２のセグメント１００自体は、近位部１１０及び遠位部１２０を備え、近位部１１０は、第１のセグメント９０と遠位部１２０との間に位置している。
【００２４】
近位部１１０及び遠位部１２０は、それらの間の相対運動を可能にするためにヒンジ連結で接続されている。同様に、第１のセグメント９０及び第２のセグメント１００も、ヒンジ連結で接続されている。細長部材７０は、細長部材７０とバックプレート５０との間の相対運動を可能にするようにヒンジ連結式に近位端１３０においてその幅の範囲に沿ってバックプレート５０に取り付けられる。
【００２５】
細長部材は、概して平坦で剛性の平面形状であり、その幅方向のセクション端にヒンジ連結される取り付け部が形成されている。これは、部材が横向きの動き又は回転に対して本質的に耐性が有ること、及び平坦に折り曲がることも意味する。しかしながら、他の構成が可能であり、例えば審美的な理由で好ましい場合もある。（例えば、遠位部１２０等の）個別セクションが、弾性バンドの長さ等の異なる構造を有してもよい。
【００２６】
代替的な実施形態において、第１のセグメント９０及び第２のセグメント１００、近位部１１０及び遠位部１２０、並びに／又は細長部材７０及びバックプレート５０は、細長部材７０を１つの構成から別の構成に置き換えるのに十分な相対運動を可能にする他の材料又は方法で接続されてもよい。第１のセグメント９０及び近位部１１０は、単一の連続的なセグメント又は個別のセグメントから形成されてもよく、バックプレート５０及び細長部材７０も同様であり得る。
【００２７】
バックプレート５０の後面６０から延びる保持バンド８０が、細長部材７０を収容するための空間を画定する。図２に示された構成では、保持バンド８０は、近位端１３０において第１のセグメント９０に直接隣接している。本実施形態では、保持バンド８０は後面６０上に形成されている。しかしながら、更なる実施形態では、保持バンド８０は、バックプレート５０の一体部分として形成されてもよい。
【００２８】
遠位部１２０の遠位端は、固定位置１４０においてバックプレート５０に取り付けられる。遠位部１２０は、遠位部１２０とバックプレート５０との間の相対運動を可能にするためにヒンジ連結式でその幅の範囲に沿って取り付けられる。
【００２９】
本実施形態では、細長部材７０は、第１のセグメント９０、第２のセグメント１００、及び後者の近位部１１０及び遠位部１２０の間の相対運動を可能にする断面減少エリアを備えた剛性材料から形成される。細長部材７０は、バックプレート５０のそれとは異なる材料から成る。代替的な実施形態では、バックプレート５０及び細長部材７０は、同じ材料から形成されてもよい。
【００３０】
図３は、第１の開放構成で使用中の細長部材７０を示す。この構成は、特に、ユーザが活動中のとき（例えば、運動中）、又はユーザの器用さが減少している場合に、モバイルデバイスが手から落ちる又は滑ることを防ぐためにユーザの手における保持の向上を促進する。
【００３１】
近位端１３０及び固定位置１４０におけるヒンジ連結された取り付けは、ユーザの指を収容するために細長部材７０が後面６０から遠ざかることを可能にし、ユーザの指は細長部材７０とバックプレート５０の後面６０との間に配置されて、モバイルデバイス１０がユーザの手に固定される。図４は、その後で固定を強化するためにユーザがモバイルデバイス１０を握っていることを示す。
【００３２】
ユーザの手へのモバイルデバイスの固定保持が必要でない場合、細長部材７０は、図５に示されるように、閉鎖又は格納構成に置き換えられてもよく、細長部材７０は、バックプレート５０の後面に対して平坦且つ平行になる。第２のセグメントの遠位部１２０は、バックプレート５０の後面６０と近位部１１０との間に有る。第１のセグメント９０及び近位部１１０が整列され、近位部１１０は遠位部１２０を部分的に覆っている。保持バンド８０が第１のセグメント９０の近位端に接触し、保持バンド８０の遠位端１５０において近位部１１０の遠位端に接触するように、保持バンド８０は細長部材の外縁の周囲に延びる。保持バンド８０の近位端１３０と遠位端１５０との間の距離は、実質的に、第１のセグメント９０及び近位部１１０の結合長さに等しい。
【００３３】
同様に、近位端１３０と固定位置１４０との間の距離は、実質的に、遠位部１２０の長さを差し引いた第１のセグメント９０と近位部１１０との長さに実質的に等しい。このようにして、細長部材７０は、閉鎖又は格納時にバックプレート５０の後面６０に対して平坦且つ平行になることができる。
【００３４】
細長部材７０は、図６に示された矢印Ａの方向でユーザが近位部１１０に圧力をかけることにより、第１の開放構成から格納位置に配置される。第１のセグメント９０及び近位部１１０は同一平面になり、結合した外縁が保持バンド８０によって囲まれる。細長部材７０は保持バンド８０によって所定位置に保持され、それはその長手方向端の少なくとも一部に沿って長手保持部１６０を含む。
【００３５】
本実施形態では、長手保持部１６０は、細長部材７０が格納位置にある場合に保持バンド８０内で近位部１１０に隣接するように配置される。それぞれの又はその長手保持部１６０は、図７に示されるように、長手保持部１６０から近位部１１０に向かって延びる突起１７０を備える。図７は、図６で示された線ｘ−ｘにおけるサポートの部分断面を示している。格納位置において、長手保持部１６０は、近位部１１０を所定位置に保持するために近位部１１０の端部を覆う。これらは、保持バンド８０の関連部分の側端と係合する「クリップ」配置を提供する。保持バンド８０の後面６０と係合する面ファスナ、ホック、又は他の機械式保持方法等、所望の構成で保持バンドを保持する他のやり方も可能である。
【００３６】
図８に示されるように、突起１７０から細長部材７０を解放するためのタブ１８０が設けられ、そのためユーザが格納位置から第１の開放位置に細長部材７０を置き換えることができる。
【００３７】
保持バンドは、好ましくは、ユーザプリファレンスによって格納位置に及び格納位置から細長部材が反復的に再構成されることを可能にするための十分な弾性を有するポリマーから形成される。
【００３８】
図９及び１０は、ユーザがモバイルデバイス１０を保持せずにディスプレイスクリーン２０を観ることができるように、ユーザがモバイルデバイス１０を表面に置くことができる第２の開放構成で使用されているサポートを示す。遠位部１２０は、長手保持部１６０の突起１７０によって後面６０に隣接し且つ平行に保持される。本実施形態では、長手保持部１６０は、細長部材７０が第２の開放位置にある場合に保持バンド８０内で遠位部１２０に隣接するように配置される。長手保持部１６０は、少なくとも部分的に固定位置１４０に隣接して延びる。
【００３９】
図９は、「縦向き」形式に置かれたデバイスを示しているが、細長部材の幅が「横向き」形式でデバイスを支持するのに適切であることが理解されよう。代替的に、デバイスが「横向き」形式で置かれるように、デバイスはモバイルデバイスに取り付けられてもよい。
【００４０】
近位部１１０は遠位部１２０から第１のセグメント９０に延び、後者は第１のセグメント９０の一部がテーブルトップ等の表面に置かれ得るように後面６０に対して鋭角をなしている。本実施形態では、第１のセグメント９０の近位部１１０に隣接する部分は表面上に置かれている。しかしながら、サポートが更にモバイルデバイスの端部に向かってモバイルデバイスに取り付けられる場合、実質的に第１のセグメント９０の全体が当該表面に置かれてもよい。保持バンド８０の遠位端１５０から固定位置１４０までの距離は、遠位部１２０の長さと実質的に等しい。近位部１１０及び第１のセグメント９０の相対長さは、第１のセグメント９０、そしてモバイルデバイスが置かれる水平面に対するディスプレイスクリーンの結果として得られる角度をもたらすように選択される。
【００４１】
図１１は、細長部材７０を第２の開放位置に配置する方法を概略示する。細長部材７０は、図１１に示された矢印Ｂの方向でユーザが遠位部１２０に圧力をかけることにより、所定位置に配置される。続いて、遠位部１２０は、ユーザによって、典型的には、近位部１１０及び／又は第１のセグメント９０を引っ張ることにより、又はタブ１８０を引っ張ることにより、又は他のやり方で、突起１７０から解放されてもよい。従って、構成は、図２から４に示された第１の開放位置のそれに、又は図５から８に示された格納位置に置き換えられてもよい。
【００４２】
勿論、本発明の範囲から逸脱せずに多くの変形が上記の実施形態に対して行われ得ることが理解されるであろう。
【００４３】
代替的な実施形態では、遠位部１２０は、弾性部材から成ってもよい。弾性部材の使用は、調節可能なサイズの手空間の利点を提供し、細長部材７０を手に対して付勢することで、ユーザの手におけるモバイルデバイスの保持力を増加させ得る。遠位部１２０は、近位部１１０と固定位置１４０との間に延びるバンドであってもよい。
【００４４】
更なる代替的な実施形態では、保持バンド８０は、個別の長手保持部１６０に置換されてもよく、長手保持部１６０は実質的にここで描かれている。
【００４５】
更なる実施形態では、遠位部１２０は、保持バンド８０内で摺動自在に保持されてもよい。遠位部１２０は、保持バンド８０の遠位端１５０と固定位置１４０との間の長手方向の移動を可能にするために保持バンド８０内に摺動自在に取り付けられてもよい。
【００４６】
代替的な実施形態では、細長部材７０は、近位端１３０におけるその幅の範囲に沿ってではなくその端部に沿って離散点で後面６０に取り付けられる。また、遠位部１２０も、固定位置１４０に同様に取り付けられてもよい。
【００４７】
代替的な実施形態では、細長部材７０が第２の開放位置にある場合に、近位部１１０は、［挿入手段］によって保持され得る。閉鎖又は格納位置にある場合、遠位部１２０は、遠位部１２０は、［挿入手段］によってバックプレート５０に隣接して保持されてもよい。
【００４８】
更に、本発明は、それが携帯電話ケースに組み込まれる実施形態を参照して記載されている。このようなケース又はカバーは、周知であり、様々なやり方でデバイスに取り付けられる。即ち、ケースの特定の性質が特に発明と密接な関係を有している訳ではない。
【００４９】
実際には、本発明は、ケース無しでデバイスに取り付けられ又は既存のケースに追加され得る貼り付け式又はそれ以外の取り付け可能なパッドとして具現化され得る。このような実施形態では、バックプレート５０は、挿入部を覆う近位部１１０のエリア及び第１のセグメント９０を支持するために、近位端１３０と固定位置１４０との間の空間を占有する。また、バックプレート５０は、それが保持バンド１８０の長手方向端部の間の空間を部分的に又は完全に埋めるような寸法を有してもよい。
【００５０】
サポートは、接着剤、既知の面ファスナ、又な任意の他の適切な手段によってモバイルデバイスに取り外せないように又は取り外し可能に取り付けられてもよい。
【００５１】
更なる実施形態では、バックプレート５０は、近位端１３０と固定位置１４０との間のエリアを除いて、後面を実質的に覆うようにモバイルデバイスの後面を横断して延びてもよい。近位端１３０と固定位置１４０との間の空間は何も無くてもよく、又は挿入部を覆う近位部１１０のエリア及び第１のセグメント９０を支持するように別個の挿入部（図示せず）によって占有されてもよい。また、挿入部は、それが保持バンド１８０の長手方向端部の間の空間を部分的に又は完全に埋めるような寸法を有してもよい。
【図１】
2019146066.tif 000003
【図２】
2019146066.tif 000004
【図３】
2019146066.tif 000005
【図４】
2019146066.tif 000006
【図５】
2019146066.tif 000007
【図６】
2019146066.tif 000008
【図７】
2019146066.tif 000009
【図８】
2019146066.tif 000010
【図９】
2019146066.tif 000011
【図１０】
2019146066.tif 000012
【図１１】
2019146066.tif 000013
【外国語明細書】
2019146066000001.pdf